(57)【要約】【課題】身体に伝達する振動と耳に伝達する音響を個別に調整できるようにする。【解決手段】浴槽２に発音器３を備えた浴槽音響装置１において、発音器３として、浴槽内の溜水域Ｒへ振動を放出させるための溜水域用発音器３Ａと、溜水域Ｒより上方の空間域Ｓへ音を放出させるための空間域用発音器３Ｂを備えている。【効果】溜水域Ｒへ放出する振動と空間域Ｓへ放出する音を異なる発音器３Ａ，３Ｂから発することができ、入浴者の身体に伝達する振動と入浴者の耳に伝達する音響を個別に調整できる。【選択図】図２
2006128970.tif 000002
【特許請求の範囲】
【請求項１】
浴槽に発音器を備えた浴槽音響装置において、前記発音器として、前記浴槽内の溜水域へ振動を放出させるための溜水域用発音器と、該溜水域より上方の空間域へ音を放出させるための空間域用発音器を備えていることを特徴とする浴槽音響装置。
【請求項２】
前記溜水域用発音器及び前記空間域用発音器の少なくとも一方は、前記浴槽の裏面にその振動出力部を当接して浴槽へ振動を伝達させることで、前記溜水域へ振動を放出させるか又は前記空間域へ音を放出させるようにした請求項１記載の浴槽音響装置。
【請求項３】
前記浴槽の内側に振動板を露出させ、前記溜水域用発音器及び空間域用発音器の少なくとも一方は、その振動出力部を該振動板に当接して該振動板を振動させることで、前記溜水域へ振動を放出させるか又は前記空間域へ音を放出させるようにした請求項１記載の浴槽音響装置。
【請求項４】
前記浴槽に設けた開口部を前記振動板で水密状態に覆い、前記振動板に浴槽外側から該開口部を介して前記振動出力部を当接した請求項３記載の浴槽音響装置。
【請求項５】
前記浴槽の内側に配置する容器に前記振動板を備え、該容器内に前記溜水域用発音器及び前記空間域用発音器を格納した請求項３記載の浴槽音響装置。
【請求項６】
前記溜水域用発音器及び前記空間域用発音器に個別に音信号を供給する音信号出力装置を備え、該音信号出力装置は、この供給する各音信号の特性を個別に調節するコントロール回路を備えている請求項１乃至５のいずれか１項に記載の浴槽音響装置。
【発明の詳細な説明】
【技術分野】
【０００１】
本発明は、浴槽に張った湯を振動させると共に湯面より上方の空間へ音を放出して、入浴者に振動と音楽を提供する発音器を備えた浴槽に関するものである。
【背景技術】
【０００２】
入浴者に音楽を楽しんでもらうための浴槽スピーカが提案されている（特許文献１）。この浴槽スピーカは、浴槽の裏面に一つの音源ユニットを固着し、音源ユニットの振動により浴槽を発音体として音響を発生させ、その音響振動を、浴槽内の浴湯を媒体として入浴者の身体に伝達させると共に浴室内の空気を媒体として入浴者の耳にも伝達させるようにしている。
【特許文献１】特開平３−１５４２３号公報
【発明の開示】
【発明が解決しようとする課題】
【０００３】
しかし、前記浴槽スピーカは、一つの音源ユニットで浴槽を振動させるめた、浴湯を媒体として入浴者の身体に伝達する振動と、空気を媒体として入浴者の耳に伝達する音響とをバランス良く調整することができないため、入浴者によっては心地好さが得られないこともある。
【０００４】
本発明は、上記問題を解決するために、身体に伝達する振動と耳に伝達する音響とのバランスを調整できる浴槽音響装置の提供を目的とする。
【課題を解決するための手段】
【０００５】
身体に伝達する振動と耳に伝達する音響を個別に調整できるようにするために請求項１記載の本発明が採用した手段は、浴槽に発音器を備えた浴槽音響装置において、前記発音器として、前記浴槽内の溜水域へ振動を放出させるための溜水域用発音器と、該溜水域より上方の空間域へ音を放出させるための空間域用発音器を備えていることを特徴とする浴槽音響装置である。前記空間域用発音器を複数個を備えて、ステレオ効果を得るようにすることもある。また、前記溜水域用発音器を複数個を備えて、前記溜水域の振動させる範囲を広くすることもある。
本発明にあっては、溜水域へ放出する振動と空間域へ放出する音を異なる発音器から発することができ、入浴者の身体に伝達する振動と入浴者の耳に伝達する音響を個別に調整できる。
【０００６】
振動の伝達構造を簡単にするために請求項２記載の本発明が採用した手段は、前記溜水域用発音器及び前記空間域用発音器の少なくとも一方は、前記浴槽の裏面にその振動出力部を当接して浴槽へ振動を伝達させることで、前記溜水域へ振動を放出させるか又は前記空間域へ音を放出させるようにした請求項１記載の浴槽音響装置である。
本発明にあっては、発音器の振動出力部から発せられた振動が浴槽へ伝達して、溜水域へ振動を放出させ又は空間域へ音を放出させることができる。
【０００７】
振動又は音の放出を効率的に行うため請求項３記載の本発明が採用した手段は、前記浴槽の内側に振動板を露出させ、前記溜水域用発音器及び空間域用発音器の少なくとも一方は、その振動出力部を該振動板に当接して該振動板を振動させることで、前記溜水域へ振動を放出させるか又は前記空間域へ音を放出させるようにした請求項１記載の浴槽音響装置である。
本発明にあっては、振動出力部の出力を受けて振動する振動板から直接に、溜水域へ振動を放出させ又は空間域へ音を放出させることができる。
【０００８】
浴湯が発音器に掛かりにくするために請求項４記載の本発明が採用した手段は、前記浴槽に設けた開口部を前記振動板で水密状態に覆い、前記振動板に浴槽外側から該開口部を介して前記振動出力部を当接した請求項３記載の浴槽音響装置である。
本発明にあっては、浴湯の掛かりにくい浴槽外側に発音器を配置できる。
【０００９】
浴槽を加工することなく個別に調整できるようにするために請求項５記載の本発明が採用した手段は、前記浴槽の内側に配置する容器に前記振動板を備え、該容器内に前記溜水域用発音器及び前記空間域用発音器を格納した請求項３記載の浴槽音響装置である。
本発明にあっては、浴槽の内側に容器を配置するだけで、入浴者の身体に伝達する振動と入浴者の耳に伝達する音響を個別に調整できる。
【００１０】
入浴者の身体に伝達する振動と入浴者の耳に伝達する音響を最適な状態に調整できるようにするために請求項６記載の本発明が採用した手段は、前記溜水域用発音器及び前記空間域用発音器に個別に音信号を供給する音信号出力装置を備え、該音信号出力装置は、この供給する各音信号の特性を個別に調節するコントロール回路を備えている請求項１乃至５のいずれか１項に記載の浴槽音響装置である。
本発明にあっては、溜水域用発音器及び空間域用発音器に供給する個々の音信号の特性をコントロール回路で個別に調整できる。
【発明の効果】
【００１１】
請求項１記載の本発明に係る浴槽音響装置は、入浴者の身体に伝達する振動と入浴者の耳に伝達する音響を、入浴者が心地好さを得ることができるように個別に調整できる。
請求項２記載の本発明に係る浴槽音響装置は、浴槽を振動の伝達媒体とすることで振動の伝達構造を簡単にすることができる。
【００１２】
請求項３記載の本発明に係る浴槽音響装置は、発音器の振発動出力部で振動板を振動させることで、振動又は音の放出を効率的に行うことができる。
請求項４記載の本発明に係る浴槽音響装置は、浴湯の掛かりにくい浴槽外側に発音器を簡単に配置することができる。
【００１３】
請求項５記載の本発明に係る浴槽音響装置は、浴槽の内側に容器を配置するだけで、浴槽を加工することなく入浴者の身体に伝達する振動と入浴者の耳に伝達する音響を個別に調整できる。
請求項６記載の本発明に係る浴槽音響装置は、溜水域用発音器及び空間域用発音器に供給する個々の音信号の特性を個別に調整することで、入浴者の身体に伝達する振動と入浴者の耳に伝達する音響を最適な状態にすることができる。
【発明を実施するための最良の形態】
【００１４】
本発明に係る浴槽音響装置（以下、「本発明浴槽音響装置」という）を図面に示す実施形態に基づいて説明する。
【００１５】
（第１の実施の形態）
図１乃至図３は、本発明浴槽音響装置の第１の実施の形態を示すものであり、図１は本発明浴槽音響装置１を備えた浴室を示すものであり、（Ａ）は平面図、（Ｂ）は断面した右側面図である。図２は本発明浴槽音響装置１の要部を拡大した右側面図及び音信号供給装置４のブロック図を示すものである。図３は発音器３（３Ａ，３Ｂ）を拡大して示すものであり、（Ａ）は半分を断面した平面図、（Ｂ）は背面図である。
【００１６】
本発明浴槽音響装置１は、浴槽２に複数個の発音器３を備えている。本発明浴槽音響装置１は、浴槽内２ａの溜水域Ｒへ振動を放出させるための溜水域用発音器３Ａと、溜水域Ｒより上方の空間域Ｓへ音を放出させるための空間域用発音器３Ｂを備え、溜水域Ｒ中の浴湯Ｗを介して入浴者の身体に伝達する振動と、空間域Ｓを介して入浴者の耳に伝達する音響を個別に調整できるようにしてある。溜水域用発音器３Ａは、少なくとも１個が備えられるが、溜水域Ｒの振動させる範囲を広くするために、浴槽２の外側又は内側の前後左右底の適所に複数個を配置することもある。また、空間域用発音器３Ｂは、少なくとも１個が備えられるが、入浴者の両耳に個別に音響を伝えてステレオ効果を得るようするために、浴槽２の外側又は内側の左右両側の各々に配置することもある。
【００１７】
前記発音器３（３Ａ，３Ｂ）の取付けは、図２に示す如く、浴槽２の壁部裏面２ｂにその振動出力部３ａを当接して浴槽２へ振動を伝達させることで、浴槽２の壁部２ｃを振動Ｅさせて溜水域Ｒへ振動を放出させるか又は空間域Ｓへ音を放出させるようにしてある。本発明浴槽音響装置１は、浴槽２を振動の伝達媒体とすることで振動の伝達構造を簡単にすることができる。浴槽２は、発音器３（３Ａ，３Ｂ）を取付ける以外の裏面箇所を、吸音層２ｄで覆い、浴槽以外に振動を極力放出しないようにしてある。
【００１８】
前記発音器３（３Ａ，３Ｂ）は、図３に示す如く、入力された音信号の強さに応じて振動出力部３ａが移動するものであり、ボイスコイルを備えたエキサイター（励振器）が用いられている。エキサイターは、ボビン１４に巻装したボイスコイル１５と、ボイスコイル１５との間で磁気ギャップを形成する磁気回路１７とを備え、ボイスコイル１５に音響再生信号が流れると、その強さに応じてボイスコイル１５と共にボビン１４がピストン運動し、ボビン１４の先端側の振動出力部１８に当接する浴槽２を振動させて音を再生するものである。本例のエキサイターは、ヨーク１１と、ヨーク１１の中央に取付けたプレート１２付き磁石１３と、磁石１３の外周に嵌装したボビン１４と、ボビン１４の外周に巻いたボイスコイル１５と、ヨーク１１とボビン１４を連結するダンパー１６と、ボビン１４の先端側に設けた振動出力部１８（３ａ）と、キャンセルマグネット１９と、ボイスコイル用端子２０を備えている。前記発音器３（３Ａ，３Ｂ）は、振動出力部１８（３ａ）と浴槽２の外側面との間に、木質，セラミック質等の音質調整具２１を配置することもある。なお、前記発音器３（３Ａ，３Ｂ）は、エキサイター（励振器）に限定するものではなく、図示は省略したが、電磁コイルで生じる磁界変化で超磁歪ロッドを伸縮させる超磁歪式アクチュエータ−や、圧電振動子を用いたアクチュエータ−等を選択することも可能である。
【００１９】
前記発音器３（３Ａ，３Ｂ）は、図３に示す如く、浴槽２に取着された支持具２２に、押圧具２３を介して取付けられる。押圧具２３は、板バネやコイルバネ等からなり、浴槽２の壁部裏面２ｂに振動出力部１８（３ａ）を適度の押圧力で押圧するようにしてある。本例の押圧具２３は、バネ板材２３ａに、同心である複数の仮想円に沿って並列する複数の円弧状切欠き２３ｂを開設して、隣接する切欠き２３ｂ，２３ｂの間に設けた連結部２３ｃでバネ力を発揮するようにしたものである。なお、前記発音器３（３Ａ，３Ｂ）は、支持具２２を用いることなく、浴槽２の壁部裏面２ｂに振動出力部１８（３ａ）を接着等で接合することもある。
【００２０】
前記発音器３Ａ，３Ｂへ音信号を供給する音信号供給装置４は、図２に示す如く、音楽テープ、ＣＤ（コンパクトディスク）若しくはＭＤ（ミニディスク）等を再生するプレーヤー、または、ラジオ電波を受信するチューナー等からなる音源供給装置５と、各発音器３Ａ，３Ｂ毎に設けられ、溜水域用発音器３Ａ及び空間域用発音器３Ｂに供給する個々の音信号の特性（周波数，音量，位相等）を調節するコントロール回路６と、音信号を発音器３Ａ，３Ｂへ出力する増幅器７とを備えている。音信号供給装置４は、溜水域用発音器３Ａ及び空間域用発音器３Ｂに供給する個々の音信号の特性（周波数，音量，位相等）をコントロール回路６で個別に調整できるので、入浴者の身体に伝達する振動と入浴者の耳に伝達する音響を最適な状態にすることができる。
【００２１】
本発明者は、浴槽２の壁部裏面２ｂに発音器３である前記エキサイターの振動出力部１８（３ａ）を当接して浴槽２を振動させたとき、エキサイターから離れて振動を体感できる限界の距離を測定する実験をして、図７に示すグラフを得た。実験は、人造大理石製の浴槽２にエキサイターの振動出力部１８（３ａ）を当接して、エキサイターを約１ワットの入力で発振させ、浴湯Ｗに入れた手をエキサイターから離反させるように移動させ、各周波数について振動を振動を体感できる限界距離Ｌを測定した。実験は、甲及び乙の二名について行った。図７に示す実験の結果から明らかなように、浴湯Ｗを伝達して体感できる振動の周波数は、２０〜６００Ｈｚｋ範囲であり、特に８０Ｈｚ近辺にピークがあり、この付近の振動がよく伝達する。従って、溜水域用発音器３Ａに供給する音信号の周波数特性を調節するコントロール回路６の回路Ａは、高音フィルーターでカットした後の低音領域を調節するとよい。
【００２２】
本発明浴槽音響装置１は、図２に示す如く、音信号供給装置４から溜水域用発音器３Ａ及び空間域用発音器３Ｂに音信号が出力されると、各発音器３（３Ａ，３Ｂ）の振動出力部１８（３ａ）で浴槽２の壁部２ｃを振動Ｅさせ、溜水域Ｒへ振動を放出して浴湯Ｗを振動させると共に空間域Ｓへ音を放出させる。入浴者は、浴湯Ｗの振動（特に、低音域）を身体で体感し、空間域Ｓへ放出された音響（特に、中高音域）を耳で聞くことができる。本発明浴槽音響装置１は、溜水域用発音器３Ａ及び空間域用発音器３Ｂを備えることで、入浴者の身体に伝達する振動と入浴者の耳に伝達する音響を、入浴者が心地好さを得ることができるように個別に調整できる。
【００２３】
（第２の実施の形態）
図４は、本発明浴槽音響装置の第２の実施の形態の要部を示す断面図である。本実施の形態に係る本発明浴槽音響装置３０は、浴槽２の内側の溜水域Ｒに振動板３１を露出させると共に空間域Ｓに振動板３１を露出させ、発音器３（３Ａ，３Ｂ）の振動出力部１８（３ａ）を対応する振動板３１に当接して振動板３１を振動させることで、振動板３１から溜水域Ｒへ振動を放出させると共に空間域Ｓへ音を放出させるようにしてある。本発明浴槽音響装置３０は、発音器３（３Ａ，３Ｂ）の振動出力部１８（３ａ）で、浴槽２に比べて軽量の振動板３１を振動させることで、振動又は音の放出を効率的に行うことができる。
【００２４】
また、本発明浴槽音響装置３０は、浴槽２の壁部２ｃに設けた開口部３２を椀状の振動板３１で水密状態に覆い、浴槽外側から開口部３２を介して発音器３（３Ａ，３Ｂ）の振動出力部１８（３ａ）を振動板３１に当接し、浴湯Ｗの掛かりにくい浴槽外側に発音器３を配置してある。発音器３（３Ａ，３Ｂ）は、板バネやコイルバネ等からなる押圧具２３で押圧され、振動板３１に振動出力部１８（３ａ）を圧接させてある。前記振動板３１は、ステンレス鋼板や、合成樹脂板等から成形され、フランジ部３１ａを浴槽２の壁部２ｃに水密状態で接合してある。なお、発音器３（３Ａ，３Ｂ）の構造及び発音器３Ａ，３Ｂへ音信号を供給する音信号供給装置４の構成は、前記第１の実施の形態と実質的に同一である。
【００２５】
なお、本発明浴槽音響装置は、溜水域用発音器３Ａ及び空間域用発音器３Ｂのいずれか一方を、前記振動板３１に振動出力部１８（３ａ）を当接させると共に、他方を前記第１の実施の形態と同様に浴槽２の壁部裏面２ｂに振動出力部１８（３ａ）を当接させるように構成することも可能である。
【００２６】
（第３の実施の形態）
図５及び図６は、本発明浴槽音響装置の第３の実施の形態を示すものであって、図５は全体を示す右側断面図、図６は要部を示す中間省略した右側断面図である。本実施の形態に係る本発明浴槽音響装置４０は、浴槽２と別体に形成されて浴槽２の内側に配置するものであって、浴槽の内側に配置する容器４１と、容器４１の内側に格納した溜水域用発音器３Ａ及び空間域用発音器３Ｂを備えている。容器４１は、図６に示す如く、基盤４２と、基盤４２に水密に接合して浴槽２の内側の溜水域Ｒ及び空間域Ｓに露出した振動板４３とを備えている。発音器３（３Ａ，３Ｂ）は、板バネや発泡樹脂層等の押圧部材４４を介して基盤４２に取付けられ、その振動出力部１８（３ａ）を振動板４３に圧接して振動板４３を振動させることで、振動板４３から溜水域Ｒへ振動を放出させると共に空間域Ｓへ音を放出させるようにしてある。振動板４３は、溜水域Ｒに露出するものと、空間域Ｓに露出するものとを別個に形成することもある。なお、発音器３（３Ａ，３Ｂ）の構造及び発音器３Ａ，３Ｂへ音信号を供給する音信号供給装置４の構成は、前記第１の実施の形態と実質的に同一である。
【００２７】
本発明浴槽音響装置４０は、基盤４２に取付けた吸盤４５，４５で浴槽２の内面に取着するか、基盤４２に取付けたフック４６（図５参照）で浴槽２に引っ掛けるようにしてある。本発明浴槽音響装置４０は、発音器３（３Ａ，３Ｂ）を格納した容器４１を浴槽２の内側に配置するだけで、溜水域用発音器３Ａ及び空間域用発音器３Ｂの各々に発する振動で、入浴者の身体に伝達する振動と入浴者の耳に伝達する音響を、入浴者が心地好さを得ることができるように調整できる。
【図面の簡単な説明】
【００２８】
【図１】本発明浴槽音響装置の第１の実施の形態を示すものであり、（Ａ）は本発明浴槽音響装置を備えた浴室を示す平面図、（Ｂ）は断面した右側面図である。
【図２】第１実施の形態における本発明浴槽音響装置の要部を拡大した右側面図及び音信号供給装置のブロック図である。
【図３】第１実施の形態における発音器を拡大して示すものであり、（Ａ）は半分を断面した平面図、（Ｂ）は背面図である。
【図４】本発明浴槽音響装置の第２の実施の形態の要部を示す断面図である。
【図５】本発明浴槽音響装置の第３の実施の形態の全体を示す右側断面図である。
【図６】第３実施の形態における要部を示す中間省略した右側断面図である。
【図７】実験の結果を示すグラフである。
【符号の説明】
【００２９】
２…浴槽、３（３Ａ，３Ｂ）…発音器、Ｒ…溜水域、Ｓ…空間域
【図１】
2006128970.tif 000003
【図２】
2006128970.tif 000004
【図３】
2006128970.tif 000005
【図４】
2006128970.tif 000006
【図５】
2006128970.tif 000007
【図６】
2006128970.tif 000008
【図７】
2006128970.tif 000009